(57)【要約】      （修正有）【課題】廃棄や取り扱いが容易な封筒状の形態をとりながら、嵩高い物品をも容易に収容して梱包することができる運搬用容器を提供する。【解決手段】上端を開口した封筒状に形成された容器本体における表裏の主板３の各下端に、舟形の第１底板４Ａおよび第２底板４Ｂをそれぞれ折り畳みおよび折り拡げ操作可能に連設し、第１底板４Ａの一部と第２底板４Ｂの一部とを接合連結し、容器本体内において第１底板４Ａの折り拡げに伴って、第１底板４Ａに部分的に連結された第２底板４Ｂが折り拡げられて、容器本体の下端に２枚重ね構造の舟形底板４が形成されるよう構成してある。【選択図】図３
0003154370.tif 000002
【実用新案登録請求の範囲】
【請求項１】
上端を開口した封筒状に形成された容器本体における表裏の主板の各下端に、舟形の第１底板および第２底板をそれぞれ折り畳みおよび折り拡げ操作可能に連設し、第１底板の一部と第２底板の一部とを接合連結し、容器本体内において第１底板の折り拡げに伴って、第１底板に部分的に連結された第２底板が折り拡げられて、容器本体の下端に２枚重ね構造の舟形底板が形成されることを特徴とする運搬用容器。
【請求項２】
前記容器本体は、板紙からなり、前記第１底板の遊端辺に摘み部を備えてある請求項１記載の運搬用容器。
【請求項３】
前記第１底板および第２底板が前記容器本体内で折り拡げられて２枚重ね構造の舟形底板が形成された状態において、前記主板の内面に接する摺接片を前記第２底板の遊端辺に沿って折り曲げ可能に連設してある請求項１または２記載の運搬用容器。
【請求項４】
一方の前記主板における上端から封止片を他方の主板の外面に折り重ね可能に延出し、この封止片の遊端側の裏面に貼り合せ用の両面粘着テープを備えるとともに、封止片の延出方向中間部位に、分断用のミシン目を封止片の横幅方向全長に亘って形成してある請求項１ないし３のいずれかに記載の運搬用容器。
【請求項５】
前記容器本体における前記主板に膨出案内用の折り線を備えてある請求項１ないし４のいずれかに記載の運搬用容器。
【考案の詳細な説明】
【技術分野】
【０００１】
本考案は、宅配便等に好適に使用することができる折り畳み可能な運搬用容器に関する。
【背景技術】
【０００２】
宅配便等に用いる運搬用容器としては、例えば、特許文献１に示されるような封筒状の容器や段ボール箱が利用されている。
【先行技術文献】
【特許文献】
【０００３】
【特許文献１】特開２００１−１０６４０号公報
【考案の概要】
【考案が解決しようとする課題】
【０００４】
封筒状の運搬用容器は、書類や嵩の低い物品の収納に適しているとともに、取り扱いが簡単であり、かつ、使用後の廃棄も容易となるものであるが、その反面、嵩高い物品の収納には不適であり、収納梱包できる物品の種類が限られるものであった。
【０００５】
他方、段ボール箱は収納容積の許容範囲内で多様な物品の収納梱包が可能で、汎用性にすぐれ、最も多く利用されているのであるが、使用時に組み立て作業やテープによる封止処理が必要であるとともに、使用後に廃棄あるいは保管する場合、箱をバラして折り畳む処理に手数を要すものであり、取り扱い性の面で難点があった。
【０００６】
本考案は、このような実情に着目してなされたものであって、破棄や取り扱いが容易な封筒状の形態をとりながら、嵩高い物品をも容易に収納して梱包することができる実用性に優れた運搬用容器を提供することを目的とするものである。
【課題を解決するための手段】
【０００７】
上記目的を達成するために、本考案は以下のように構成した。
【０００８】
本考案に係る運搬用容器は、上端を開口した封筒状に形成された容器本体における表裏の主板の各下端に、舟形の第１底板および第２底板をそれぞれ折り畳みおよび折り拡げ操作可能に連設し、第１底板の一部と第２底板の一部とを接合連結し、容器本体内において第１底板の折り拡げに伴って、第１底板に部分的に連結された第２底板が折り拡げられて、容器本体の下端に２枚重ね構造の舟形底板が形成されることを特徴とする。
【０００９】
ここで、舟形とは、長手方向の前と後ろが舟の舳先のように細く立ち上がった形状をいう。
【００１０】
この構成によると、非使用状態では平板状に嵩低い状態であるが、容器内に手を差し入れて第１底板を折り拡げるだけのワンタッチ操作で舟形底板を現出して、収納容積を拡大することができ、嵩の大きい物品でも容易に収納することが可能となる。
【００１１】
また、折り拡げ操作によって現出された舟形底板は、その全体が第１底板と第２底板とが重ね合わされた丈夫な２枚重ね構造であり、底板が変形したり損傷するおそれがなく、安全に物品を収納運搬することができる。
【００１２】
また、使用後には、板紙製の容器内に手を差し入れて第１底板を折り込むだけで、舟形底板全体を畳み込んで容器全体を平板状の嵩低い状態に戻すことができ、廃棄や保管が容易となる。
【００１３】
本考案の一実施態様においては、前記容器本体は、板紙からなり、前記第１底板の遊端辺に摘み部を備えてある。
【００１４】
これによると、使用後の容器内に手を差し入れて摘み部を引き上げることによって、第１底板を容易に折り込むことが可能となり、また、板紙製であるので、段ボール製に比べて廃棄が容易である。
【００１５】
また、本考案の他の実施態様においては、前記第１底板および第２底板が前記容器本体内で折り拡げられて２枚重ね構造の舟形底板が形成された状態において、前記主板の内面に接する摺接片を前記第２底板の遊端辺に沿って折り曲げ可能に連設してある。
【００１６】
これによると、折り拡げられる第１底板の遊端部が、対向する主板の内面に当接摺動するに伴って摺接片が折曲げられ、第１底板の遊端辺が摺接片を介して主板の内面に当接支持され、底板姿勢がしっかりと保持される。
【００１７】
また、本考案の他の実施態様においては、一方の前記主板における上端から封止片を他方の主板の外面に折り重ね可能に延出し、この封止片の遊端側の裏面に貼り合せ用の両面粘着テープを備えるとともに、封止片の延出方向中間部位に、分断用のミシン目を封止片の横幅方向全長に亘って形成してある。
【００１８】
これによると、容器内に物品を収納した後、両面粘着テープの剥離紙をめくり取って接着剤を露出させ、接着剤が露出された封止片を折り返して主板の外面に貼り合せることで容器本体の開口を封止することができる。また、ミシン目を介して封止片を全幅に亘って分断することで、封止片を折り拡げることが可能となり、ハサミやカッタなどの工具を要することなく簡単に開封することができる。
【００１９】
また、分断用のミシン目は封止片の延出方向中間部位に形成してあるので、開封後にも封止片の基端側の一部分が残されることになり、この残された封止片部分を使って容器開口を封止することができ、容器本体を梱包搬送されてきた物品の返送や他の物品の梱包搬送に再利用することができる。
【００２０】
さらに、本考案の他の実施態様においては、前記容器本体における前記主板に膨出案内用の折り線を備えてある。
【００２１】
これによると、膨出案内用の折り線に沿って主板を無理なく膨出変形させて、収納容積を収納物品に応じた大きさに拡大することができ、シワの発生を抑制して美観を保つことができる。
【考案の効果】
【００２２】
このように、本考案は、破棄や取り扱いが容易な封筒状の形態でありながら、嵩高い物品をも容易に梱包することができる宅配便やギフト包装などに好適な実用性に優れた運搬用容器を提供することができる。
【図面の簡単な説明】
【００２３】
【図１】未使用状態の容器本体を背面側から見た斜視図である。
【図２】未使用状態における容器本体の背面図である。
【図３】梱包可能状態に組み上げた容器本体を背面側から見た斜視図である。
【図４】梱包可能状態に組み上げた容器本体の底面を示す斜視図である。
【図５】梱包可能状態に組み上げた容器本体の一部を切り欠いた背面図である。
【図６】未使用状態（ａ）と梱包可能状態（ｂ）とを示す縦断側面図である。
【図７】素材を展開した平面図である。
【図８】容器本体の製作過程を示す斜視図である。
【図９】容器本体の製作過程を示す斜視図である。
【図１０】容器本体の製作過程を示す斜視図である。
【図１１】容器本体の製作過程を示す斜視図である。
【図１２】容器本体の製作過程を示す斜視図である。
【図１３】梱包封止した容器本体を背面側から見た斜視図である。
【図１４】開封した容器本体を背面側から見た斜視図である。
【図１５】開封後に再使用した状態の容器本体を背面側から見た斜視図である。
【図１６】変形した実施例の容器本体を背面側から見た斜視図である。
【考案を実施するための形態】
【００２４】
以下、本考案の実施例を図面に基づいて説明する。
【００２５】
図１に、本考案に係る運搬用容器の未使用状態での斜視図が、図２に、未使用状態における運搬用容器の背面図が、図３に、梱包可能状態に組み上げた運搬用容器を背面側から見た斜視図が、図４に、梱包可能な状態に組み上げられた運搬用容器の底面を示す斜視図が、また、図５に、梱包可能な状態に組み上げられた運搬用容器の一部を切り欠いた背面図がそれぞれ示されている。
【００２６】
この運搬用容器は、板紙を型抜き裁断した１枚の素材を折り貼りして、上端が全幅に亘って開口された縦横がそれぞれ数十ｃｍ程度の大きさの封筒状に形成したものであり、容器本体１が、表面側の主板２、裏面側の主板３、および、折り畳み可能な２重構造の舟形底板４によって構成されており、後述するように、舟形底板４が容器内方からの操作で折り畳みおよび折り拡げられるようになっている。
【００２７】
図７に、前記素材を展開して内面側から見た平面図が示されており、表面側の主板２と裏面側の主板３とは、型押し形成された折り線ａを挟んで左右に連設されている。表面側の主板２の下端に第１底板４Ａが型押し形成された折り線ｂを介して連設されるとともに、裏面側の主板３の下端に第２底板４Ｂが型押し形成された折り線ｃを介して連設され、また、表面側の主板２の上端には封止片５が型押し形成された折り線ｄを介して延出されるとともに、表面側の主板２の側端辺にはのり代６が型押し形成された折り線ｅを介して連設されている。
【００２８】
第１底板４Ａには、左右両端角部と折り線ｂの中間箇所とに亘って傾斜折り線ｆが型押し形成され、第１底板４Ａの遊端辺とこれら折り線ｂと傾斜折り線ｆとによって、左右に尖った舟形形状が現出されている。また、左右の先細り部を区分する左右一対の折り線ｇが型押し形成されている。
【００２９】
第２底板４Ｂには、左右両端角部と折り線ｃの中間箇所とに亘って傾斜折り線ｈが型押し形成され、第２底板４Ｂの遊端辺とこれら折り線ｃと傾斜折り線ｈとによって、左右に尖った舟形形状が現出されている。また、左右の先細り部を区分する左右一対の折り線ｉが型押し形成されるとともに、舟形形状の左右両端を結んで折り線ｊが型押し形成されている。
【００３０】
次に、上記した素材を折り貼りして容器本体１を製作する手順を、図８〜図９を参照して説明する。
【００３１】
先ず、図８に示すように、平板状に展開された素材における第１底板４Ａの折り線ｂの左右端部と傾斜折り線ｆとで囲まれる三角エリアに接着剤７が塗布されるとともに、第２底板４Ｂの折り線ｃの左右端部と傾斜折り線ｈとで囲まれる三角エリアに接着剤８が塗布される。なお、前記接着剤７，８は、所定形状の両面粘着テープを上記エリアに予め貼り付けておき、容器製作時に剥離紙をめくり取って接着剤を露出させるようにしてもよい。
【００３２】
次に、図９に示すように、第１底板４Ａと第２底板４Ｂを折り線ｂ，ｃに沿って折り返し、前記三角エリアを主板２，３の内面に接着剤７，８を介して貼り合せる。
【００３３】
次に、図１０に示すように、第１底板４Ａの上面における下半部位に接着剤９を塗布するとともに、第２底板４Ｂを折り線ｊに沿って二つ折りに折り重ねて、その上面に接着剤１０を塗布する。なお、前記接着剤９，１０は、所定形状の両面粘着テープを所定箇所に予め貼り付けておき、容器製作時に剥離紙をめくり取って接着剤を露出させるようにしてもよい。
【００３４】
次に、図１１に示すように、裏面側の主板３を折り線ａに沿って折り込んで表面側の主板２に重ね合わせるとともに、第１底板４Ａの下半部位と、二つ折りされた第２底板４Ｂとを接着剤９，１０で貼り合せ結合する。
【００３５】
その後、図１２に示すように、内面に接着剤１１が塗布されたのり代６を折り線ｅに沿って折り曲げて、第２底板４Ｂの外面に貼り合せることで容器本体１が組み上がる。なお、この場合も、前記接着剤１１は、所定形状の両面粘着テープを予め貼り付けておき、容器製作時に剥離紙をめくり取って接着剤を露出させるようにしてもよい。
【００３６】
上記のようにして組み上げられた容器本体１の封止片５における延出方向の中間箇所には、予め２列の分断用のミシン目１２が左右全幅に亘って切り込み形成されており、このミシン目１２より先端側箇所の内面に両面粘着テープ１３を貼り付けることで運搬用容器として完成する。
【００３７】
次に、上記のように構成された運搬用容器の取り扱いについて説明する。
【００３８】
ユーザーに提供された状態の板紙製の運搬用容器は、図１，図２および図６（ａ）に示すように、第１底板４Ａおよび第２底板４Ｂが容器内に封止片５が折り畳まれて、容器全体が扁平な平板状にあるとともに、封止片５は展開された状態にある。
【００３９】
使用に際しては、先ず、容器本体１の開口に手を差し入れ、図６（ａ）中の仮想線で示すように、第１底板４Ａを下方に折り広げる。これに伴って、第１底板４Ａの一部に重合連結されている第２底板４Ｂも折り拡げられてゆく。
【００４０】
第１底板４Ａが最大に折り拡げられると、図５および図６（ｂ）に示すように、第１底板４Ａと第２底板４Ｂとが全面に亘って重合されて、丈夫な２枚重ね構造の舟形底板４が現出する。この場合、第１底板４Ａおよび第２底板４Ｂの左右両端部が主板２，３の内面に三角形状に貼り合わされている関係で、底板折り拡げに伴って舟形底板４の左右端部付近が左右の折れ線ｇ，ｉに沿って少し折り上げられ、剛性の大きい三次元構造の底部がもたらされる。
【００４１】
また、第１底板４Ａの遊端辺には摺接片４ｃがミシン目状に切り込み形成された折り曲げ容易な折り線ｋを介して連設されており、折り拡げられる第１底板４Ａの遊端部が、対向する裏側の主板３の内面に当接摺動するに伴って摺接片４ｃが上方に折曲げられ、第１底板４Ａの遊端辺が摺接片４ｃを介して主板３の内面に当接支持され、底板姿勢がしっかりと保持される。
【００４２】
このようにして舟形底板４によって容積が拡大された容器本体１に運搬物品を収納した後、図３に示すように、封止片５における両面粘着テープ１３の剥離紙１３ａをめくり取り、接着剤１３ｂを露出させた封止片５を折り曲げて裏面側の主板３の外面に貼り合せることで容器本体１の封止梱包が完了し、表側の主板２の適宜の位置に、宅配伝票等を貼り付ける。
【００４３】
なお、図１および図７に示すように、容器本体１における表裏の主板２，３の下半部には膨出案内用の折り線ｍが予め型押し形成されており、嵩の高い物品を収納すると、物品に押された主板２，３が折り線ｍに案内されて膨出変形し、収納容積が無理なく拡大され、シワの発生を抑制するようになっている。
【００４４】
第１底板４Ａの遊端辺中央には、摺接片４ｃを延長した摘み部４ｄが備えられており、使用済みの容器本体１に手を差し入れて第１底板４Ａの摘み部４ｄを摘んで上方に引き上げることで、第１底板４Ａおよび第２底板４Ｂを折り畳んで容器全体を平板状にすることができ、使用済みの容器本体１の破棄が容易になるとともに、嵩低く保管することができる。
【００４５】
開封後においても、封止片５における基端側の一部が開口全幅に亘って残存しているので、図１５に示すように、残された封止片部分５ａを再び折り返して接着テープ１４で主板３の外面に貼り付け固定したり、封止片部分５ａを主板３の外面にのり付け固定する等して再び開口を封止することができ、運搬されてきた物品の返送や、他の物品の梱包運搬に利用することもできる。
【００４６】
[他の実施例]
本考案は、以下のような形態で実施することもできる。
【００４７】
（１）図１６に示すように、表裏の主板２，３における上部に吊り紐１５を装備して、吊り下げ保持できるように構成すると、取り扱いが一層容易となり、ギフト用の包装箱などとしても好適である。
【００４８】
（２）上記実施例では、第１底板４Ａを表面側の主板２の下端に連設し、第２底板４Ｂを裏面側の主板３の下端に連設しているが、逆に、第１底板４Ａを裏面側の主板３の下端に連設し、第２底板４Ｂを表面側の主板２の下端に連設して実施することもできる。
【産業上の利用可能性】
【００４９】
本考案は、店舗で購入した商品を持ち帰ったり、荷物を宅配する際などの運搬用の容器として有用である。
【符号の説明】
【００５０】
１              容器本体
２              主板（表側）
３              主板（裏側）
４              舟形底板
４Ａ            第１底板
４Ｂ            第２底板
４ｃ            摺接片
４ｄ            摘み部
５              封止片
１２            ミシン目
１３            両面粘着テープ
ｍ              折り線
【図１】
0003154370.tif 000003
【図２】
0003154370.tif 000004
【図３】
0003154370.tif 000005
【図４】
0003154370.tif 000006
【図５】
0003154370.tif 000007
【図６】
0003154370.tif 000008
【図７】
0003154370.tif 000009
【図８】
0003154370.tif 000010
【図９】
0003154370.tif 000011
【図１０】
0003154370.tif 000012
【図１１】
0003154370.tif 000013
【図１２】
0003154370.tif 000014
【図１３】
0003154370.tif 000015
【図１４】
0003154370.tif 000016
【図１５】
0003154370.tif 000017
【図１６】
0003154370.tif 000018